(57)【特許請求の範囲】
【請求項１】
着用者の胴回りに装着可能な使い捨てパンツ型吸収性物品であって、
胴開口部と一対の脚開口部とを有し、前記胴開口部の開口周縁部に沿って伸縮自在なウエスト弾性部材が設けられた外層部材と、
前記外層部材の内面であって着用者の股にあてがわれる位置に設けられた吸収性組合わせ部材と、
を備え、
前記吸収性組合わせ部材は、前記ウエスト弾性部材に隣接する少なくとも一つの領域で、前記ウエスト弾性部材の延在方向において前記吸収性組合わせ部材の幅寸法よりも小さい接合領域を介して前記外層部材に接合されており、
前記吸収性組合わせ部材と前記外層部材との非接合領域のうちの一部の領域に、前記吸収性組合わせ部材の外面と前記外層部材の内面とを固着する固着手段が設けられ、
前記固着手段は、前記吸収性組合わせ部材の両側縁部の延在方向に沿って細長い略長方形状の領域に設けられ、前記吸収性組合わせ部材と前記外層部材とを、それらの固着位置を調整自在に着脱自在に固着する、使い捨てパンツ型吸収性物品。
【請求項２】
請求項１記載の使い捨てパンツ型吸収性物品であって、
前記固着手段は、前記接合領域の外側方であって前記吸収性組合わせ部材の隅部の位置に設けられている、使い捨てパンツ型吸収性物品。
【請求項３】
請求項１又は請求項２に記載の使い捨てパンツ型吸収性物品であって、
前記固着手段は、面ファスナーのフック部材を含む、使い捨てパンツ型吸収性物品。
【請求項４】
請求項３記載の使い捨てパンツ型吸収性物品であって、
前記フック部材は、前記吸収性組合わせ部材の外面側に設けられた、使い捨てパンツ型吸収性物品。
【請求項５】
請求項１〜請求項４のいずれかに記載の使い捨てパンツ型吸収性物品であって、
前記外層部材の少なくとも内面は、不織布面である、使い捨てパンツ型吸収性物品。
【請求項６】
請求項１〜請求項５のいずれかに記載の使い捨てパンツ型吸収性物品であって、
前記外層部材は不織布により形成されている、使い捨てパンツ型吸収性物品。
【発明の詳細な説明】
【技術分野】
【０００１】
この発明は、パンツやおむつ等として利用可能な使い捨てパンツ型吸収性物品に関する。
【背景技術】
【０００２】
従来のパンツ型使い捨ておむつとして特許文献１に開示のものがある。この文献に開示のパンツ型使い捨ておむつでは、吸収体を横切るように弾性体を配設することを避け、吸収体の両側部にある耳部に弾性体を設けている。これにより、弾性体の収縮力によって吸収体が変形するのを防止するようにしている。
【０００３】
【特許文献１】実開平６−４２１号公報
【発明の開示】
【発明が解決しようとする課題】
【０００４】
しかしながら、上記特許文献１に開示のパンツ型使い捨ておむつでは、吸収体の長手方向における端縁部の外側に、別途ウエスト用の弾性体を設けている。そして、このウエスト用の弾性体が伸縮すれば、吸収体の長手方向端縁部が変形してしまう恐れがある。特に、モレを低減するために吸収体の面積を大きくしようとして、吸収体の長手方向端縁部がウエスト弾性部材に近い位置に配設されてしまうと、上記変形は顕著に発生する可能性が高い。
【０００５】
そこで、本発明は、ウエスト弾性部材の伸縮による吸収体への影響をなるべく及び難くした使い捨てパンツ型吸収性物品を提供することを目的とする。
【課題を解決するための手段】
【０００６】
この発明に係るパンツ型吸収性物品は、着用者の胴回りに装着可能な使い捨てパンツ型吸収性物品であって、胴開口部と一対の脚開口部とを有し、前記胴開口部の開口周縁部に沿って伸縮自在なウエスト弾性部材が設けられた外層部材と、前記外層部材の内面であって着用者の股にあてがわれる位置に設けられた吸収性組合わせ部材と、を備え、前記吸収性組合わせ部材は、前記ウエスト弾性部材に隣接する少なくとも一つの領域で、前記ウエスト弾性部材の延在方向において前記吸収性組合わせ部材の幅寸法よりも小さい接合領域を介して前記外層部材に接合されており、前記吸収性組合わせ部材と前記外層部材との非接合領域のうちの一部の領域に、前記吸収性組合わせ部材の外面と前記外層部材の内面とを固着する固着手段が設けられ、前記固着手段は、前記吸収性組合わせ部材の両側縁部の延在方向に沿って細長い略長方形状の領域に設けられ、前記吸収性組合わせ部材と前記外層部材とを、それらの固着位置を調整自在に着脱自在に固着するものである。
【０００７】
この場合に、前記固着手段は、前記接合領域の外側方であって前記吸収性組合わせ部材の隅部の位置に設けられていてもよい。
【０００９】
また、前記固着手段は、面ファスナーのフック部材を含むものであってもよい。
【００１０】
さらに、前記フック部材は、前記吸収性組合わせ部材の外面側に設けられていてもよい。
【００１１】
また、前記外層部材の少なくとも内面は、不織布面であってもよい。
【００１２】
さらに、前記外層部材は不織布により形成されていてもよい。
【発明の効果】
【００１３】
この発明のパンツ型吸収性物品によると、前記吸収性組合わせ部材は、前記ウエスト弾性部材に隣接する少なくとも一つの領域で、前記ウエスト弾性部材の延在方向において前記吸収性組合わせ部材の幅寸法よりも小さい接合領域を介して前記外層部材に接合されているため、ウエスト弾性部材の伸縮によって吸収性組合わせ部材が変形し難くなり、従って、ウエスト弾性部材の伸縮による吸収性組合わせ部材への影響を可及的に及び難くすることができる。また、前記吸収性組合わせ部材と前記外層部材との非接合領域のうちの一部の領域に、前記吸収性組合わせ部材の外面と前記外層部材の内面とを固着する固着手段が設けられているため、吸収性組合わせ部材の非接合領域がひらひらしたり、折れ曲ったりすることなく、違和感の無い着用感を得ることができる。
また、前記固着手段は、前記吸収性組合わせ部材と前記外層部材とを、それらの固着位置を調整自在に着脱自在に固着するため、例えば、ウエスト弾性部材の伸縮によって、前記吸収性組合わせ部材と前記外層部材との非接合領域においてそれらの相対的な位置ずれが生じた場合に、適切な位置で固着し直すことによって、該ずれを解消することができる。
【００１４】
また、固着手段が、前記接合領域の外側方であって前記吸収性組合わせ部材の隅部の位置に設けられていると、吸収性組合わせ部材のひらひらや折れ曲りを有効に防止できる。
【００１６】
また、前記固着手段が、面ファスナーのフック部材を含むと、例えば、ウエスト弾性部材の伸縮によって、前記吸収性組合わせ部材と前記外層部材との非接合領域においてそれらの相対的な位置ずれが生じた場合に、適切な位置で固着し直すことによって、該ずれを解消することができる。
【００１７】
また、この前記フック部材が前記吸収性組合わせ部材の外面側に設けられていると、該フック部材が着用者の肌にあたらないようにすることができ、着用感の向上を図ることができる。
【００１８】
また、前記外層部材の少なくとも内面は、不織布面であると、柔らかい着用感を得ることができると共に、フック部材を係合させて上記吸収性組合わせ部材を固着することができる。
【００１９】
また、前記外層部材が不織布により形成されていると、柔軟でかつ良好な通気性を得ることができ、かつ、良好な着用感を得ることができる。
【発明を実施するための最良の形態】
【００２０】
以下、この発明の実施形態に係る使い捨てパンツ型吸収性物品について説明する。図１は使い捨てパンツ型吸収性物品を示す斜視図であり、図２は同使い捨てパンツ型吸収性物品をその左右のサイド部にて切離して展開した状態を示す図であり、図３は図２における使い捨てパンツ型吸収性物品のＸ−Ｘ線に沿った断面の構成を模式的に示す図であり、図４は同使い捨てパンツ型吸収性物品の要部拡大斜視図である。
【００２１】
この使い捨てパンツ型吸収性物品１は、例えば、パンツ型の使い捨ておむつであり、本使い捨てパンツ型吸収性物品１の外面側に設けられる外層部材２と、外層部材２の肌面側（内面側）に接合される吸収性組合わせ部材３とを備えている。なお、本発明は、上記パンツ型の使い捨ておむつ以外にも、例えば、前腹部に止着片を設けて再締結可能とした開閉式の使い捨てパンツにも適用できる。
【００２２】
外層部材２は、胴開口部７と一対の脚開口部８とを有しており、着用者の胴部及び股部に着用されるパンツ形態に形成されている。着用状態では、着用者の胴部が胴開口部７内に配設され、着用者の一対の脚の付け根部分が一対の脚開口部８内に配設される。
【００２３】
より具体的には、外層部材２は、着用者の前腹部、股部、後背部にそれぞれあてがわれる前腹部４、股部５及び後背部６を有しており、これらの部分が一連につながった形態を有している。なお、本実施形態では、外層部材２の各部分が一体形成された例を示しているが、例えば、前腹部４、股部５及び後背部６がそれぞれ分割して形成され、或は、股部５で分割して形成され、それら分割された部分同士が接合された形態であってもよい。
【００２４】
また、この外層部材２は、展開形態において、略矩形状のシート状の部材の左右両側の中間部（股部５に対応する部分）が内方に切込まれた略砂時計形状を有している。そして、この展開形態における前腹部４の左右両側縁部と後背部６の左右両側縁部とが超音波溶着又は加熱溶着等によりサイドシール１２を介して接合された構成とされている。これにより、外層部材２の両端縁部（図２における上下方向の縁部）により胴開口部７が形成され、両側縁部の略弧状に切込まれた縁部によって左右の脚開口部８が形成される。
【００２５】
また、前腹部４及び後背部６のうち胴開口部７を構成する縁部には、ウエスト弾性部材９が左右方向に伸長された状態で取付けられている。これにより、前腹部４及び後背部６の両側縁部が上記のように接合された形態で、外層部材２の胴開口部７の開口周縁部に、その開口周縁部に沿って伸縮自在にウエスト弾性部材９が設けられることになる。
【００２６】
さらに、前腹部４及び後背部６のそれぞれの左右領域、より具体的には、前腹部４及び後背部６のうち後述する吸収性物品１の配設領域を避けた領域における上縁部と下縁部との間には、ボディフィット弾性部材１１が左右方向に伸長された状態で取付けられている。
【００２７】
そして、本使い捨てパンツ型吸収性物品１の着用状態において、外層部材２の前腹部４及び後背部６部分が、ウエスト弾性部材９及びボディフィット弾性部材１１の弾性力によって、着用者の胴部を適度な力で締付けるようになっている。
【００２８】
また、股部５の脚開口部８を構成する両側縁部には、レッグ弾性部材１０が該両側縁部の延在方向に沿って伸長された状態で取付けられている。また、レッグ弾性部材１０は、着用者の略前側に位置する前部領域と、着用者の略後側に位置する後部領域とに分割して設けられており、それらの間に所定間隔の領域Ｃが設けられている。この領域Ｃが、着用者の股下に配設されるように設定されている。なお、レッグ弾性部材１０は、股部５の両側縁部における上記前部領域及び後部領域のうちのいずれか一方のみに設けられていてもよい。
【００２９】
このような外層部材２は、肌面側の内側シート２３と、外側の外側シート２４との間に、弾性部材９〜１１を挟込んで構成されている。内側シート２３は不織布により構成されており、好ましくは、外側シート２４も不織布により構成されている。内側シート２３と及び外側の外側シート２４の双方が不織布により形成され、即ち、外層部材２の全体が不織布により形成されていると、柔軟でかつ良好な通気性を得ることができ、かつ、良好な着用感を得ることができる。
【００３０】
吸収性組合わせ部材３は、上記外層部材２の内面であって着用者の股にあてがわれる位置に設けられる部材である。吸収性組合わせ部材３は、吸収体１９を、トップシート１４とバックシート１７との間に挟込むと共に、その両側部に一対のサイドシート１５を取付けた構成とされている。
【００３１】
吸収体１９は、例えば、粉砕したパルプ繊維やセルロース繊維等の親水性繊維集合層に粒状の高分子吸収体を混合した塊をティッシュペーパー等の紙シート又は透液性不織布シート等の被覆シートで包んだもので構成されている。トップシート１４は、透液性の不織布等により構成されており、バックシート１７及びサイドシート１５は、撥水性不織布等により構成されている。
【００３２】
また、吸収体１９は、略砂時計形状の平面形状を有する平坦な部材に形成されている。バックシート１７は吸収体１９よりも一回り大きな広がりを有しており、トップシート１４は吸収体１９と略同じか一回り小さな広がりを有している。サイドシート１５は、バックシート１７の右半部又は左半部よりも幅狭な広がりを有している。
【００３３】
バックシート１７とトップシート１４との間に吸収体を挟込んだ状態で、トップシート１４の外面両側部を覆うようにして、一対のサイドシート１５が設けられている。そして、バックシート１７のうち吸収体１９よりもはみ出した側縁部と上記サイドシート１５の外側縁部とが、ホットメルト接着剤等の接着剤により、接合部２１ｂを介して接合されている。さらに、上記トップシート１４の両側縁部とサイドシート１５の外側縁部であって上記接合部２１ｂよりも内側よりの部分とが、ホットメルト接着剤等の接着剤により、接合部２１ａを介して接合されている。これにより、吸収体１９は、バックシート１７、トップシート１４とサイドシート１５との間に、封止状に収容されている（図３参照）。
【００３４】
また、上記サイドシート１５の前後方向の両端部とトップシート１４の両端部とは、ホットメルト接着剤等の接着剤により、立体エンド固定部２０を介して接合されている。サイドシート１５の左右方向内方側縁部には、立体用弾性部材１８が、該サイドシート１５の前後方向に沿って伸長された状態で取付けられている。そして、サイドシート１５のうち前後方向中間部分が立体用弾性部材１８の収縮力によって着用者の肌に押付けられる方向に起立する構成となっている。
【００３５】
上記吸収性組合わせ部材３は、次の構成により外層部材２の肌面（内面）に取付けられている。
【００３６】
すなわち、上記バックシート１７の外面と外層部材２の肌面とが、ホットメルト接着剤等の接着剤により、接合部２２（図２の２点鎖線及び図３参照）を介して接合されている。接合部２２による接合領域は、上記ウエスト弾性部材９に隣接する領域で、ウエスト弾性部材９の延在方向において吸収性組合わせ部材３の左右方向幅寸法よりも小さくなるように設定されている。本実施形態では、外層部材２の前半部において、接合領域は、バックシート１７の最も狭くなる部分に合わせた左右幅寸法を有し、かつ、バックシート１７の前後方向ほぼ全体に延在する略方形状の領域に設定されている。そして、バックシート１７の前後方向両端部における幅広となった部分が、外層部材２に接合されない非接合領域Ｄとされている。
【００３７】
なお、外層部材２の後半部分では、バックシート１７の全体領域が外層部材２に接合されている。すなわち、一般的な人の身体の動作からすると、使い捨てパンツ型吸収性物品１の前半部でウエスト弾性部材９の伸縮度合が大きく、後半部ではその伸縮度合は小さいと考えられるため、本実施形態では、前腹部４側にのみ非接合領域Ｄを設けた例で説明する。もっとも、後背部６側にも同様の非接合領域を設け、かつ、後述する係合部１３と同様の係合部を設けてもよい。
【００３８】
ここで、ウエスト弾性部材９に隣接する領域とは、外層部材２のうち上記ウエスト弾性部材９の収縮力による収縮変形を受け易い領域をいい、ここでは、バックシート１７が前腹部４及び後背部６に接合される領域を想定している。なお、ウエスト弾性部材９に隣接する少なくとも一つの領域に適用されればよく、例えば、前腹部４及び後背部６のうちの一方のみで、接合領域が吸収性組合わせ部材３の左右方向幅寸法よりも小さく設定されていてもよい。
【００３９】
さらに、吸収性組合わせ部材３と外層部材２との非接合領域Ｄのうちの一部の領域に、吸収性組合わせ部材３の外面と外層部材２の肌面とを固着する固着手段として、係合部１３が設けられている。
【００４０】
係合部１３は、面ファスナーのフック部材により構成されている。一方、外層部材２の肌面は不織布により形成されている。そして、係合部１３を外層部材２の不織布面（面ファスナーの被フック部材、即ち、ループ部材として機能する）に係合させることによって、吸収性組合わせ部材３と外層部材２とを、非接合領域Ｄにおいて、固着位置を調整しつつ任意の位置に固着することができるようになっている。なお、外層部材２の肌面の全体が不織布により形成されている必要はなく、少なくとも非接合領域Ｄが不織布面に形成されていればよい。
【００４１】
なお、吸収性組合わせ部材３の外面と外層部材２の肌面とを着脱自在に固着する手段としては、面ファスナーのフック部材の他に、着脱自在な粘着部材により構成した手段等を含む。この場合には、外層部材２の肌面のうち非接合領域Ｄを、該粘着部材を繰返し着脱自在な表面、例えば、円滑な表面に仕上げることが好ましい。
【００４２】
この係合部１３は、吸収性組合わせ部材３の外面側、より具体的には、バックシート１７の外面側に設けられている。これにより、係合部１３が着用者の肌に直接あたることを防止できる。しかも、後述するように、外層部材２の内面を不織布面に形成すればよいので、柔らかい着用感を得ることができる。もっとも、係合部１３が外層部材２側に設けられ、バックシート１７が不織布等で形成された構成であってもよい。
【００４３】
また、この係合部１３は、接合部２２による接合領域の外側方であって吸収性組合わせ部材３の隅部の位置に設けられている。より具体的には、吸収性組合わせ部材３の前側縁部２６とその両側縁部１６とが交わる頂点に近い隅部領域２７に、両側縁部の延在方向に沿って細長い略長方形状の係合部１３を設けている。これにより、吸収性組合わせ部材３の隅部が係合部１３を介して外層部材２の内面に固着される構成となっている。
【００４４】
なお、隅部領域２７は、ウエスト弾性部材９及びボディフィット弾性部材１１の両方に近い領域なので、それらの伸縮による影響を受けやすい箇所である。このような箇所に、係合部１３を設けることで、吸収性組合わせ部材３の変形を有効に抑制すると共に、仮に変形が生じたような場合でも有効な修正を可能にしている。
【００４５】
このように構成された使い捨てパンツ型吸収性物品１を着用者が着用した状態では、ウエスト弾性部材９及びボディフィット弾性部材１１が着用者の胴回りを締付ける。この際、ウエスト弾性部材９の収縮力により、前腹部４のうち吸収性組合わせ部材３の配設領域部分も収縮するように変形する。ところが、吸収性組合わせ部材３は、ウエスト弾性部材９に隣接する領域で、吸収性組合わせ部材３の幅寸法よりも小さい接合領域で外層部材２に接合されているため、吸収性組合わせ部材３と外層部材２との間に非接合領域が存在する。このため、前腹部４自体が変形しても、吸収性組合わせ部材３は変形し難くなり、従って、ウエスト弾性部材９の伸縮による吸収性組合わせ部材３への影響を可及的に排除することができる。勿論、ボディフィット弾性部材１１の収縮変形による伸縮領域２５の変形による影響をも可及的に排除することができる。
【００４６】
また、吸収性組合わせ部材３と外層部材２との非接合領域Ｄのうちの一部の領域に、それらを固着する固着手段として係合部１３が設けられているため、脱着に伴う上げ下ろしの際等に、吸収性組合わせ部材３の非接合領域Ｄがひらひらしたり、折れ曲ったりすることを防止できる。これにより、違和感の無い着用感を得ることができる。
【００４７】
このような観点からすると、吸収性組合わせ部材３と外層部材２とは必ずしも着脱自体に固着されている必要はなく、例えば、吸収性組合わせ部材３と外層部材２とは、非接合領域Ｄの一部領域において部分的にホットメルト接着剤等等の接着剤を介して接合されていてもよい。
【００４８】
もっとも、吸収性組合わせ部材３と外層部材２とを着脱自在に固着することによって、次のメリットを得ることができる。例えば、外層部材２が大きく変形し、吸収性組合わせ部材３と外層部材２との非接合領域Ｄにおいてそれらの相対的な位置ずれが大きく生じた場合に、その変形を非接合領域Ｄでは吸収できず、吸収性組合わせ部材３自体が変形してしまう可能性もあり得る。このような場合に、一旦係合部１３による係合を解除して、外層部材２の変形に合わせるようにして吸収性組合わせ部材３の非接合領域を配設して、係合部１３を外層部材２の内面の適切な位置で固着し直す。これにより、上記ずれを解消して、吸収性組合わせ部材３の変形を有効に防止できる。
【００４９】
また、係合部１３が、接合領域の外側方であって吸収性組合わせ部材３の隅部の位置に設けられているため、吸収性組合わせ部材３の隅部がひらひらしたり折れ曲ったりすることを有効に防止できる。
【図面の簡単な説明】
【００５０】
【図１】実施形態に係る使い捨てパンツ型吸収性物品を示す斜視図である。
【図２】使い捨てパンツ型吸収性物品をその左右のサイド部にて切離して展開した状態を示す図である。
【図３】図２における使い捨てパンツ型吸収性物品のＸ−Ｘ線に沿った断面の構成を模式的に示す図である。
【図４】使い捨てパンツ型吸収性物品の要部拡大斜視図である。
【符号の説明】
【００５１】
１  使い捨てパンツ型吸収性物品
２  外層部材
３  吸収性組合わせ部材
７  胴開口部
８  脚開口部
９  ウエスト弾性部材
１３  係合部
２７  隅部領域
Ｄ  非接合領域
【図１】
0004597004.tif 000002
【図２】
0004597004.tif 000003
【図３】
0004597004.tif 000004
【図４】
0004597004.tif 000005